(57)【要約】【課題】排水高さを確保するための部品が不要となり、良好に排水高さを確保しながら、確実に排水することのできる排水トラップを提供する。【解決手段】側面に排出口４を備えた略椀状のトラップ本体３内に、防臭パイプ５が垂設され、この防臭パイプ５の下端が封水の下面Ｗｂとなるように、防臭パイプ５の下端とトラップ本体３の底面３ａ間に排出口４へ向かう流路Ｒが形成されてなる排水トラップ２において、トラップ本体３の底面３ａを水平に外側へ張り出して流路Ｒと連通する張り出し部３ｂを形成させ、この張り出し部３ｂの上面に排水の流入口６を設けて構成する。【選択図】                図１
2005009162.tif 000002
【特許請求の範囲】
【請求項１】
側面に排出口を備えた略椀状のトラップ本体内に防臭パイプが垂設され、該防臭パイプの下端が封水の下面となるように防臭パイプの下端とトラップ本体の底面間に、前記排出口へ向かう流路が形成されて成る排水トラップにおいて、前記トラップ本体の底面を水平に外側へ張り出して、前記流路と連通する張り出し部を形成させ、該張り出し部の上面に、ドア下排水やバス排水の流入口を設けたことを特徴とする排水トラップ。
【請求項２】
前記流入口が、前記張り出し部の上面から側面側に向かって開口されていることを特徴とする請求項１に記載の排水トラップ。
【請求項３】
前記流入口に、複数の排水配管を接続することのできる分岐アダプタを接続して構成したことを特徴とする請求項１または請求項２に記載の排水トラップ。
【請求項４】
前記トラップ本体を上下に分割し、上下の部材の接合部を同心円上に配置させて、前記排出口に対する前記流入口の向きを可変できるように構成したことを特徴とする請求項１または請求項２に記載の排水トラップ。
【発明の詳細な説明】
【０００１】
【発明の属する技術分野】
この発明は、排水トラップに関するものである。
【０００２】
【従来の技術】
従来、例えば図６に示すように、浴室の底面を構成する防水パン１の下方には、下向きに排水トラップ２が設けられており、この排水トラップ２は、側面に排出口４を備えた略椀状のトラップ本体３内に、上面及び下面が開放された防臭パイプ５が垂設されている。また、トラップ本体３の下部部位には、横方向に開口して流入口６が形成されており、この流入口６に対し排水配管７が接続されて、この排水配管７を通り、浴槽の排水等が横方向からトラップ本体３内に流入されるように構成されている。
【０００３】
このような従来構造の排水トラップ２において、排出口４から防臭パイプ５を通って浴室内へ臭気が流入しないように、トラップ本体３内には封水が溜められ、封水が蒸発しても、封水切れが生じないように、封水上面Ｗａと封水下面Ｗｂ間の封水高さを５０ｍｍ確保する必要があり、５０ｍｍの封水高さを確保するために、従来では、流入口６側に隔壁５１を垂下させて、この隔壁５１の下端が封水下面Ｗｂとなるようにして、必要な封水高さを確保していた。
即ち、図７に要部断面図で示すような隔壁５１を設ける他に、図８に示すように、流入口６側の上面を偏平状に凹ませて絞り部５２を形成させる等して、封水下面Ｗｂをなるべく低い位置にするように構成していた。
【０００４】
【特許文献１】
特開２００１−９８６０３号公報
【０００５】
【発明が解決しようとする課題】
従来では、封水高さを確保するために、隔壁５１や、偏平状の絞り部５２が必要となってしまうという問題点があった。
また、従来では、現場に対応させるために、流入口６の方向の異なる排水トラップ２や、流入口６を複数形成した排水トラップ２等、種類の異なる排水トラップ２を製作しておく必要があり、複数種類の排水トラップ２を製作するために、複数の金型が必要であるという問題点があった。
【０００６】
【課題を解決するための手段】
本発明は、上記従来の問題点に鑑み案出したものであって、封水高さを確保するための部品等が不要となり、必要な封水高さを確保しながら確実に排水することのできる排水トラップ、及び、複数の金型を必要とせず製作できる排水トラップを提供せんことを目的とし、その第１の要旨は、側面に排出口を備えた略椀状のトラップ本体内に防臭パイプが垂設され、該防臭パイプの下端が封水の下面となるように防臭パイプの下端とトラップ本体の底面間に、前記排出口へ向かう流路が形成されて成る排水トラップにおいて、前記トラップ本体の底面を水平に外側へ張り出して、前記流路と連通する張り出し部を形成させ、該張り出し部の上面に、ドア下排水やバス排水の流入口を設けたことである。
【０００７】
また、第２の要旨は、前記流入口が、前記張り出し部の上面から側面側に向かって開口されていることである。
また、第３の要旨は、前記流入口に、複数の排水配管を接続することのできる分岐アダプタを接続して構成したことである。
また、第４の要旨は、前記トラップ本体を上下に分割し、上下の部材の接合部を同心円上に配置させて、前記排出口に対する前記流入口の向きを可変できるように構成したことである。
【０００８】
【発明の実施の形態】
以下、本発明の実施例を図面に基づいて説明する。
図１は、防水パン１の下面に取り付けられた排水トラップの縦断面構成図であり、排水トラップ２は、上面が開放されて略椀状に形成されたトラップ本体３内に、上面側からネジ５ａで着脱可能に、筒状の防臭パイプ５が内部に吊下げ状に設けられており、またトラップ本体３の図示右側面には、排出口４が形成されて、この排出口４には排水管８が接続されている。
【０００９】
本例のトラップ本体３の底面３ａの図示左端には、張り出し部３ｂが一体形成されている。
この張り出し部３ｂは、底面３ａを水平に外側へ延ばし、防臭パイプ５の下端と底面３ａ間に形成される流路Ｒと同じ高さに形成されており、この張り出し部３ｂの上面には、上方へ立ち上げて一体状に立上管部３ｃが形成され、この立上管部３ｃの上面に流入口６が開口されて、流入口６はトラップ本体３の内部の流路Ｒと連通されている。
【００１０】
この流入口６には、浴槽排水やドア下排水を流すための排水配管７を接続することができるものである。
流入口６は張り出し部３ｂの上面側に設けられているため、トラップ本体３内には、防臭パイプ５の下端位置にある封水下面Ｗｂと、上方の封水上面Ｗａ間に、５０ｍｍの封水高さＷｔを良好に確保することができ、従来のような隔壁５１や偏平な絞り部５２を形成させる必要がなく、良好に封水高さＷｔを確保しながら、排水を流入口６からトラップ本体３内に流入させて、良好に排水管８へ排水することができるものとなる。
【００１１】
図２は、排水トラップ２の斜視図を示しており、図２では、張り出し部３ｂの上面にＬ状管部３ｄが設けられており、このＬ状管部３ｄにより、張り出し部３ｂの上面から側面側に向かって流入口６が開口されたものとなっている。従って、この流入口６に横方向から排水配管７を接続することができるものである。
また、Ｌ状管部３ｄは上方へ延びながら側面側に曲がっているものであるため、トラップ本体３内に十分な封水高さＷｔを確保することができるものである。
なお、前述した立上管部３ｃ及びＬ状管部３ｄは、断面円形状に形成させておくことができ、円形断面の排水配管７を接続することができるため、排水配管７を偏平状に成形する必要がなく、安価な排水配管７を接続できるものとなる。
【００１２】
次に、図３は更なる変更例を示すものであり、図３においては、前述した張り出し部３ｂの上面に立設された立上管部３ｃに対し、別体の分岐アダプタ１０を接続できるように構成したものである。
分岐アダプタ１０は、下端に差込部１０ｂを有する基管部１０ａの上端に、交差状に分岐管部１０ｃが一体形成されて、全体がＴ字状に形成されており、分岐管部１０ｃの両端側にそれぞれ別の排水配管７，７を接続することができるものである。
【００１３】
例えば、分岐管部１０ｃの一端側には、浴室のドア下からの排水を流入させることができ、また、分岐管部１０ｃの他端側には、浴槽の追焚き口から漏れる水を受ける水受けからの排水を流入させることができる。
従って、このような分岐アダプタ１０を接続できる構成にしておけば、トラップ本体３に複数の流入口６を形成させる必要がなく、複数の排水を良好に分岐アダプタ１０を介してトラップ本体３内に流入させることができる。
そのため、複数の流入口６を備えた排水トラップ２を別途製造する必要がなく、１種類の排水トラップ２のみを製造して、後に分岐アダプタ１０を取り付けて、複数の排水に対応できるものとなる。
なお、図４は、分岐アダプタ１０を取り付ける前の排水トラップ２の平面構成図である。
【００１４】
次に、図５の斜視図で示すものは、排水トラップ２のトラップ本体３を上下に分割できるように構成したものであり、トラップ本体３は、上部部材３２と下部部材３１で構成され、上部部材３２の下端側と下部部材３１の上端側の分割接合部３３は同心円上に配置されており、上部部材３２に対する下部部材３１の向きを適宜変更させて接合できるように構成されている。
なお、上部部材３２には排出口４が形成されており、また、下部部材３１には流入口６が形成されている。
【００１５】
従って、現場の排水配管７の持ち出し方向に対応させて、排出口４に対する流入口６の向きを適宜可変させ、その後に分割接合部３３を接着接合して、上部部材３２と下部部材３１を一体化させることができ、１種類の排水トラップで、あらゆる現場に対応できるものとなる。
このため、従来のように、排出口４に対する流入口６の方向の異なる複数の排水トラップを用意しておく必要がなく、複数の排水トラップを製作するための複数の金型も必要ではなく、１種類の排水トラップで事足り、コストを低減できるものである。
【００１６】
【発明の効果】
本発明は、側面に排出口を備えた略椀状のトラップ本体内に防臭パイプが垂設され、防臭パイプの下端が封水の下面となるように防臭パイプの下端とトラップ本体の底面間に、排出口へ向かう流路が形成されて成る排水トラップにおいて、トラップ本体の底面を水平に外側へ張り出して、流路と連通する張り出し部を形成させ、張り出し部の上面に、ドア下排水やバス排水の流入口を設けたことにより、封水高さを確保するための従来のような隔壁や絞り部が不要となり、良好に封水高さを確保しながら確実に排水することができるものとなる。
【００１７】
また、流入口が、張り出し部の上面から側面側に向かって開口されていることにより、上方へ延びながら側面側に曲がっているため、封水高さを確保するための部品が不要となり、トラップ本体内に封水高さを良好に確保しながら確実に排水することができるものとなる。また、流入口に横方向から排水配管を接続することができるものとなる。
【００１８】
また、流入口に、複数の排水配管を接続することのできる分岐アダプタを接続して構成したことにより、ドア下排水，追焚き口水受け排水等の複数の排水を、良好に流入させることができるものとなり、従来のように流入口を複数形成した排水トラップを用意する必要がなく、１種類の排水トラップに分岐アダプタを接続して、複数の排水を良好に処理できるものとなる。
【００１９】
また、トラップ本体を上下に分割し、上下の部材の接合部を同心円上に配置させて、排出口に対する流入口の向きを可変できるように構成したことにより、配管の持ち出し方向ごとに流入口の方向の異なる排水トラップを複数形成させておく必要がなく、そのための複数の金型も必要ではなく、１種類の排水トラップで良好にあらゆる配管の持ち出し方向に対応させることができるものとなる。
【図面の簡単な説明】
【図１】第１実施例の排水トラップの縦断面構成図である。
【図２】流入口の位置を変更させた排水トラップの斜視構成図である。
【図３】分岐アダプタを取り付けることのできる排水トラップの斜視構成図である。
【図４】分岐アダプタを取り付ける前の排水トラップの平面構成図である。
【図５】上下に分割できる構造とした排水トラップの斜視構成図である。
【図６】従来の排水トラップの縦断面構成図である。
【図７】流入口側に隔壁を設けた従来の要部断面構成図である。
【図８】流入口側に偏平な絞り部を設けた従来の要部断面構成図である。
【符号の説明】
１    防水パン
２    排水トラップ
３    トラップ本体
３ａ    底面
３ｂ    張り出し部
３ｃ    立上管部
３ｄ    Ｌ状管部
４    排出口
５    防臭パイプ
６    流入口
７    排水配管
８    排水管
１０    分岐アダプタ
１０ａ    基管部
１０ｃ    分岐管部
３１    下部部材
３２    上部部材
３３    分割接合部
【図１】
2005009162.tif 000003
【図２】
2005009162.tif 000004
【図３】
2005009162.tif 000005
【図４】
2005009162.tif 000006
【図５】
2005009162.tif 000007
【図６】
2005009162.tif 000008
【図７】
2005009162.tif 000009
【図８】
2005009162.tif 000010